(57)【特許請求の範囲】
【請求項１】
被調理物を収納する加熱室と、該加熱室内に設け該加熱室内の温度を検出する温度センサと、該加熱室内の被調理物を電子レンジ加熱する電子レンジ加熱手段と、該加熱室内の被調理物をオーブン加熱するオーブン加熱手段と、該加熱室内の被調理物をスチーム加熱するスチーム加熱手段と、前記電子レンジ加熱手段，オーブン加熱手段，スチーム加熱手段を制御する制御手段とを具備した加熱調理器であって、前記制御手段は、調理初めの２〜３分は、前記スチーム加熱手段によって前記加熱室内を低酸素状態にして前記被調理物の調理時の酸化の抑制と水の被膜で前記被加熱物を覆い失われる水分を少なくし、次に全調理時間の１／２は、前記電子レンジ加熱によって前記被加熱物を内部から加熱を行い、被加熱物が必要以上に乾燥してしまわないように同時に前記スチーム加熱手段を行い、また同時に遠赤外線を用いた前記オーブン加熱手段を併用して前記被調理物の温度を一定に保ち、残りの調理時間は前記被加熱物に与えられた水分を蒸発させてカラット仕上げるために前記オーブン加熱手段によって加熱を行い、コンフィ調理は前記被加熱物の温度が約７０℃になるように前記温度センサで温度を検出して制御を行い調理時間は約３時間行い、また、ドライ調理は前記被加熱物の温度が約５０〜６０℃になるように前記温度センサで温度を検出して制御を行い調理時間は約２０分〜３時間行うことを特徴とする加熱調理器。
【発明の詳細な説明】
【技術分野】
【０００１】
本発明は加熱調理器および加熱調理方法に関するものである。
【背景技術】
【０００２】
１００℃以下の飽和蒸気で食品を加熱する方法として、特許文献１に記載のものがある。また、電子レンジとガスオーブンとによる複合加熱を１２０℃で行い茶碗蒸しを自動調理する方法として、特許文献２に記載のものがある。
【０００３】
【特許文献１】特開２００５−６９５５０号公報
【特許文献２】特開２００３−７４８６１号公報
【発明の開示】
【発明が解決しようとする課題】
【０００４】
特許文献１に記載の調理方法は、特許文献１の００２３段落に記載のように、食材を３時間という長時間飽和水蒸気にさらして加熱調理するものである。この調理方法は、特許文献１の表２にも示されるように、旨み評価および外観評価が高くない。旨み評価が高くないのは栄養素や旨み成分が食材の表面に付着する水に溶け出すからであり、外観評価が高くないのは食材が飽和水蒸気を吸収してふやけた外観になってしまうからだと思われる。また、この調理方法は食材の表面が薄い水の被膜に覆われた状態で加熱調理が行われることから蒸し調理などには適しているものの、食材に水分を与えたくないコンフィ調理（７０度程度の低温の油で茹でるようにじっくり時間をかけて揚げる調理方法）や食材の重量を調理前重量の３０％まで乾燥させるドライ調理には適用できないという問題もある。
【０００５】
また、特許文献２は、電子レンジとガスオーブンによる複合加熱の後に電子レンジまたはガスオーブンによる単独加熱を行う茶碗蒸しの自動調理を開示するが、その他の食材の調理方法については何ら開示していない。特に、コンフィ調理や、ドライ調理に適した調理方法については一切触れられていない。
【０００６】
本発明は、特許文献１や特許文献２に記載の調理方法では調理できないコンフィ料理やドライ料理などを調理できる加熱調理器を提供することを目的とする。
【課題を解決するための手段】
【０００７】
本発明は、上記の課題を解決するためになされたもので、被調理物を収納する加熱室と、該加熱室内に設け該加熱室内の温度を検出する温度センサと、該加熱室内の被調理物を電子レンジ加熱する電子レンジ加熱手段と、該加熱室内の被調理物をオーブン加熱するオーブン加熱手段と、該加熱室内の被調理物をスチーム加熱するスチーム加熱手段と、前記電子レンジ加熱手段，オーブン加熱手段，スチーム加熱手段を制御する制御手段とを具備した加熱調理器であって、前記制御手段は、調理初めの２〜３分は、前記スチーム加熱手段によって前記加熱室内を低酸素状態にして前記被調理物の調理時の酸化の抑制と水の被膜で前記被加熱物を覆い失われる水分を少なくし、次に全調理時間の１／２は、前記電子レンジ加熱によって前記被加熱物を内部から加熱を行い、被加熱物が必要以上に乾燥してしまわないように同時に前記スチーム加熱手段を行い、また同時に遠赤外線を用いた前記オーブン加熱手段を併用して前記被調理物の温度を一定に保ち、残りの調理時間は前記被加熱物に与えられた水分を蒸発させてカラット仕上げるために前記オーブン加熱手段によって加熱を行い、コンフィ調理は前記被加熱物の温度が約７０℃になるように前記温度センサで温度を検出して制御を行い調理時間は約３時間行い、また、ドライ調理は前記被加熱物の温度が約５０〜６０℃になるように前記温度センサで温度を検出して制御を行い調理時間は約２０分〜３時間行うものである。
【発明の効果】
【０００８】
本発明の加熱調理器を用いれば、コンフィ料理やドライ料理などができる。
【発明を実施するための最良の形態】
【０００９】
以下、本発明の実施例を添付図面に従って説明する。
【００１０】
図１は本発明の加熱調理器の正面側から見た斜視図であり、図３および図４に示されているカバー５１を取り外した状態である。図２は加熱調理器のドア５２が開いた状態の正面斜視図である。図３および図４は図１の加熱調理器の側面断面図である。
【００１１】
図１および図２に示すように、本発明の加熱調理器は、加熱調理する食品等の被調理物７１を収容する加熱室７、加熱室７の前方に設けられた被調理物７１を出し入れする開閉自在なドア５２，加熱室７の底面に設けられた被調理物７１を載置する回転しないテーブル７０を備えている。なお、この構成はターンテーブルレス式と呼ばれる。さらに、テーブル７０を支える重量センサ８ａ，８ｂ，８ｃを備えており、このセンサで検出される重量に応じて調理時間を決定することができる。また、加熱室７内にはサーミスタや赤外線センサなどの温度センサ（図示せず）が設けられており、温度センサが検出する温度に応じて加熱の強さ，時間などを決定することもできる。そして、本発明の加熱調理器は、電子レンジ加熱，オーブン加熱，スチーム加熱の三種類の加熱調理を単独もしくは組み合わせて行うことができる。
【００１２】
まず、図３を用いて電子レンジ加熱について説明する。電子レンジ加熱は、テーブル７０上に載置した被調理物７１にマイクロ波を与え、被調理物７１内の水分等の分子・原子振動によって積極的に被調理物７１を加熱する加熱方法である。この電子レンジ加熱の特徴としては、被調理物７１の表面と内部の温度を同時に短時間で上昇させることが挙げられる。
【００１３】
電子レンジ加熱を行うため、本発明の加熱調理器は、図１または図３に示すように、電子レンジ加熱の加熱源であるマイクロ波を発振するマグネトロン２０と、マグネトロン２０から発振するマイクロ波の出力を制御するインバータ電源２３を備えている。このインバータ電源２３は制御手段２７により制御され所望の量の電磁波を被調理物７１に与え電子レンジ加熱を行うことができる。また、図３に示すように、マグネトロン２０から発振したマイクロ波を加熱室７に導く導波管２５，加熱室７に照射されたマイクロ波を撹拌する回転アンテナ５７及びアンテナモータ２２を備えている。マイクロ波が一部に集中するのを防ぐため、制御手段２７がアンテナモータ２２を制御し、回転アンテナ５７を使って所望の攪拌動作を行っている。電子レンジ加熱を行うために必要な構成を電子レンジ加熱手段と呼ぶ。尚、ここでは、マグネトロン２０，導波管２５，回転アンテナ５７及びアンテナモータ２２を加熱室７と本体底面との間の機械室２に配置した。
【００１４】
次に、図４を用いてオーブン加熱について説明する。オーブン加熱は、テーブル７０上に載置した被調理物７１に熱風ユニット９からの熱風を与え、被調理物７１を内部からも加熱する加熱方法である。また、加熱室７の壁面を介して輻射熱（遠赤外線）を与えることによっても被調理物７１を加熱調理する。このオーブン加熱の特徴としては、被調理物７１を比較的容易に一定温度に保って調理できることが挙げられる。
【００１５】
オーブン加熱を行うため、図１または図４に示すように、加熱室７の上壁面の外側に電熱ヒータ１０を備えている。この電熱ヒータ１０は制御手段２７により制御され、加熱室７の上壁面を適切な温度にすることで、所望の量の輻射熱（遠赤外線）を被調理物７１に与えてオーブン加熱を行う。オーブン加熱時には被調理物７１に熱風を与えることもでき、このため加熱室７の背面壁に熱風ユニット９を備えている。この熱風ユニット９は、加熱室７の背面壁のほぼ中央に回転自在に設けられたファン等の送風手段３０，この送風手段３０の空気流の流出側に設けられた電熱ヒータ１２，送風手段３０に連結されたモータ３２で構成される。図４に矢印で示すように、電熱ヒータ１２付近の孔から出た熱風は被調理物７１を加熱し、被調理物７１を加熱した後の風は加熱室７の背面壁中央部に設けられた孔を介して再び熱風ユニット９に取り込まれる。オーブン加熱をするために必要な構成をオーブン加熱手段と呼ぶ。
【００１６】
次に、図４を用いてスチーム加熱について説明する。スチーム加熱は、テーブル７０上に載置した被調理物７１にスチームを与え、被調理物７１を水の被膜で覆い被調理物７１を加熱する加熱方法である。このスチーム加熱の特徴は、蒸し調理ができ、水の被膜で覆いながら加熱調理することから空気中の酸素と食材の結合（被調理物７１の酸化）を抑制するとともに被調理物７１中の水分の損失を抑制し被調理物７１の風味を保てることでき、さらに、加熱室７を水蒸気で満たすことで空気を押し出し低酸素の状態で調理できることが挙げられる。
【００１７】
スチーム加熱を行うため、図１または図４に示すように、加熱室７の下に水を供給する給水手段３６を備えており、熱風ユニット９の一部に給水手段３６から供給された水を加熱しスチームを発生させる蒸気発生手段３５を備えている。この給水手段３６と蒸気発生手段３５は制御手段２７により制御され、加熱室７に所望の温度のスチームを供給することで被調理物７１のスチーム加熱を行うことができる。スチーム加熱を行うために必要な構成をスチーム加熱手段と呼ぶ。
【００１８】
次に、図５を用いてドア５２の下側に設けられた操作パネル６について説明する。ここに示すように、操作パネル６は操作部６０と表示部６２で構成される。操作部６０には、自動調理するメニューが決められたキー６３、キー６３にないメニュー及び加熱強さ等を選択する選択手段６１ａ，６１ｂ、加熱調理を実行するスタートキー６４などが設けられる。図５では選択手段６１ａをダイヤル式、６１ｂを上下キー式で示しているが、これらの選択手段に限定する必要はない。また、表示部６２には、選択手段６１ａ，６１ｂで選択された状態を表示する選択状態表示部６６ａ，６６ｂが設けられる。ここで、本発明では選択手段６１と選択状態表示部６６において、それぞれ低温調理の選択と選択状態表示ができることが特徴である。選択手段６１によるメニュー選択は、ドア５２に印刷されたドア印字部６５の割付表を見て行ってもよいし、付属の料理本に記載された番号を選んでもよい。尚、操作部６０と表示部６２は制御手段２７により制御される。
【００１９】
次に操作パネル６の具体的な使い方を説明する。使用者は加熱調理器のドア５２を開けて被調理物７１をテーブル７０上に載置した後、ドア５２を閉め、図５のドアに印刷された自動調理メニューから、例えば低温調理の「７」を見つけ、選択手段６１ａのダイヤルを回すことで数字が前後にスクロールし、選択手段６１ａと同期して連動する表示部６２の選択状態表示部６６ｂに「７」と表示されるように、ダイヤル回転を調整する。また、調理する速さやカラメル固さの好みなどに応じて、選択手段６１ｂの上下キーを押し、「強・中・弱」からそれらを選択でき、その選択状態が選択状態表示部６６ａで確認できる。次に操作パネル６のスタートキー６４を操作すると、制御部２７の働きにより以下で説明する実施例の加熱調理が開始される。
【００２０】
以上で説明した構成を有した本発明の加熱調理器を以下で詳細に説明する。
【実施例１】
【００２１】
図６を用いて加熱室７内を約８０℃〜１２０℃程度の低温に保って加熱調理を行う第１の実施例を説明する。図６（ｂ）（ｃ）（ｄ）に示すように、第１の実施例では、ｔ０〜ｔ１の期間にスチーム加熱を行い、ｔ１〜ｔ２の期間に電子レンジ加熱，オーブン加熱，スチーム加熱を行い、ｔ２〜ｔ３の期間にオーブン加熱を行う。なお、ｔ１〜ｔ２の期間は各々の加熱を同時に行っても良いし、時分割で行ってもよい。
【００２２】
スチーム加熱をｔ０〜ｔ１の期間に行うと、初期段階で加熱室７の内部を低酸素状態にすることができその後の調理時に生じる被調理物７１の酸化を抑制することができ、さらに、被調理物７１を水の被膜で覆うことで調理中に被調理物７１から失われる水分を少なくすることができる。なお、ここで行うスチーム加熱は加熱室７を低酸素状態にすること、被調理物７１を水の被膜で覆うことが目的であるため２〜３分程度の短時間であっても良い。
【００２３】
ｔ１〜ｔ２の期間に行う電子レンジ加熱は被調理物７１を内部から加熱するために有効である。先行するスチーム加熱を短時間としているため、被調理物７１の内部温度は未だ上昇していないからである。被調理物７１の内部温度を上昇させるために電子レンジ加熱のみを行うと被調理物７１が必要以上に乾燥してしまう虞があるため本実施例では同時にもしくは時分割でスチーム加熱も行っている。さらに、遠赤外線を用いたオーブン加熱も併用することで被調理物の温度を一定に保つことを更に容易にしている。なお、この調理時間は全体の調理時間の１／２程度とするのが好ましい。
【００２４】
ｔ２〜ｔ３の期間に行うオーブン加熱は、ｔ２以前のスチーム加熱により与えられた水分を蒸発させ、カラッとした仕上げにするために行う。なお、この調理時間は全体の調理時間の１／２程度とするのが好ましい。
【００２５】
次に、図６（ａ）を用いて本実施例の温度制御について説明する。図６（ａ）において縦軸は加熱室７の温度である。制御手段２７の制御により温度Ｔａに達するまでスチーム加熱を行う。温度Ｔａに達すると、制御手段２７の制御により温度Ｔａ〜Ｔｂを保つように電子レンジ加熱，オーブン加熱，スチーム加熱の同時または時分割加熱を行う。所定時間が経過すると、制御手段２７の制御により温度Ｔａ〜Ｔｂを保つようにオーブン加熱を行う。さらに所定時間が経過すると、すべての加熱を終了する。
【００２６】
本実施例では加熱室７内温度を約１２０℃または約８０℃を保つように制御する二種類の温度を設けた。
【００２７】
まず、加熱室７内温度を約１２０℃に保つ調理方法を説明する。ここではＴａ＝１１０℃，Ｔｂ＝１２５℃として制御する例を示すが、これに限られず、加熱室７内温度を約１２０℃に保つことができれば他の組み合わせであっても良い。加熱室７内の温度が約１２０度であるとき、被調理物７１の実際の温度は約７０℃となる。この温度は少量の油でコンフィを調理するときに適した温度であり、この温度を約３時間持続することで容易にコンフィを調理することができる。
【００２８】
約７０℃がコンフィ調理に適している理由は、肉，魚などの水溶性タンパク質が旨み成分に変質する温度帯が５０℃〜７０℃だから、すなわち、約７０℃を長時間保つことができれば肉，魚などの水溶性タンパク質の多くを旨み成分に変質させることができるからである。また、野菜などに含まれるデンプン質が糖化する温度帯が６０℃〜７０℃だから、すなわち、約７０℃を長時間保つことができれば野菜などのデンプン質の多くを糖に変質させることができるからである。なお、約７０℃より高温を長時間にわたり与えると、柔らかでふっくらした食感が失われるとともに、熱に弱い栄養素（例えば、不飽和脂肪酸のＤＨＡ，ビタミンＢ，ビタミンＣ，リコピン等）が破壊されてしまうため加熱室７内温度を約１２０℃以上の高温に長時間保つのは好ましくない。
【００２９】
サンマのコンフィを例に挙げ、具体的な調理方法を説明する。まず、内臓を抜くなどの下ごしらえしたサンマに少量の油（３０〜４５ml程度）をかけてオーブンシートで包み、これを焼き網に載せて加熱室７に置き、図５で説明したように低温調理を選択し、スタートキー６４を押す。すると加熱室７内の温度が約１２０℃となるように図６で説明した加熱調理が行われる。約３時間後に加熱調理が終了するとサンマのコンフィが完成する。本実施例の加熱調理器を用いてサンマのコンフィを調理すると、従来のガスコンロでのコンフィの調理方法に比べ、サンマを浸すほど必要であった油量をサンマの表面にかける程度の少量に減らすことができ、よりヘルシーに調理することができる。また、ガスコンロでの調理方法では調理をするときにガスコンロから離れると出火する虞があるなど大変危険であるが、本実施例の加熱調理器を用いれば、制御手段２７の制御により適切な加熱ができるので、出火の虞を大幅に低減することができる。なお、調理時間を重量センサ８ａ，８ｂ，８ｃで観測される重量を用いて、重量が軽い被調理物７１の調理時間を短くし、重量が重い被調理物７１の調理時間を長くしても良い。
【００３０】
以上ではサンマを例に挙げコンフィの調理方法を説明したが、他の魚（わかさぎ，あじ，さば，いわし等），レバー，野菜（パプリカ，トマト，玉ねぎ，ズッキーニ等）などのコンフィの他、ソーセージ，ハム，テリーヌ，ジャーキー等も同様に調理することができる。
【００３１】
次に、加熱室７内温度を約８０℃に保つ調理方法を説明する。ここではＴａ＝６０℃，Ｔｂ＝７５℃として制御する例を示すが、これに限られず、加熱室７内温度を約８０℃に保つことができれば他の組み合わせであっても良い。加熱室７内の温度が約８０度であるとき、被調理物の実際の温度は約５０℃〜６０℃となる。この温度は野菜や果物をドライ調理するときに適した温度であり、この温度を約２０分〜約３時間持続することで容易にドライ調理をすることができる。
【００３２】
約５０℃〜６０℃がドライ調理に適している理由は、被調理物７１に含まれる自由水の流出を可能とし、水溶性のタンパク質が溶け込んだ結合水の流出を防ぐことができる温度だからである。また、この温度で調理を行うことで、熱に弱い栄養素（例えば、不飽和脂肪酸のＤＨＡ，ビタミンＢ，ビタミンＣ，リコピン等）が破壊されることを防ぐことができる。
【００３３】
トマトのドライ調理を例に挙げ、具体的な調理方法を説明する。まず、輪切りにしたトマトを焼き網に載せて加熱室７に置く。図５で説明したように低温調理を選択し、スタートキー６４を押すと、加熱室７内の温度が約８０℃となるように図６で説明した加熱調理が行われる。約２時間後に加熱調理が終了するとトマトのドライ調理が完成する。本実施例の加熱調理器を用いてトマトをドライ調理すると、従来の天日干しによるドライ調理方法に比べ、天気が良い場合でも丸二日程度必要であったドライ調理完了までの時間を数時間に減らすことができ、さらに衛生的な環境でドライ調理を行うことができる。
【００３４】
以上ではトマトを例に挙げドライ調理方法を説明したが、他のドライ野菜（玉ねぎ，にんじん，キャベツ，ピーマン），ドライフルーツ（りんご，キウイ，マンゴ，バナナ，ブドウ等），魚の干物（あじ，さば，さんま，いわし等）等も同様に調理することができる。
【実施例２】
【００３５】
図７を用いて加熱室７内を約８０℃〜１２０℃程度の低温に保って加熱調理を行う第２の実施例を説明する。図７（ｂ）（ｃ）（ｄ）に示すように、第２の実施例では、ｔ０〜ｔ１の期間に電子レンジ加熱，オーブン加熱を行い、ｔ１〜ｔ２の期間にオーブン加熱，スチーム加熱を行う。なお、各々の加熱は同時に行っても良いし、時分割で行ってもよい。
【００３６】
ｔ０〜ｔ１の期間に行う電子レンジ加熱は被調理物７１を内部から加熱するために有効である。被調理物７１の内部温度は未だ上昇していないからである。さらに、被調理物７１の内部に浸透する遠赤外線を用いたオーブン加熱も併用することで被調理物７１の内部温度の上昇をより早く達成することができる。なお、この期間は予熱期間であるため、２〜３分程度の短時間であっても良い。
【００３７】
ｔ１〜ｔ２の期間に行うスチーム加熱は加熱室７の内部を低酸素状態にすることができその後の調理時に生じる被調理物７１の酸化を抑制するため、さらに、被調理物７１を水の被膜で覆うことで調理中に被調理物７１から失われる水分を少なくすることができる点で有効である。さらに、遠赤外線を用いたオーブン加熱も併用することで被調理物の温度を一定に保つことを更に容易にしている。
【００３８】
次に、図７（ａ）を用いて本実施例の温度制御について説明する。図７（ａ）において縦軸は加熱室７内の温度である。制御手段２７の制御により温度Ｔａに達するまで電子レンジ加熱およびオーブン加熱を行う。温度Ｔａに達すると、制御手段２７の制御により温度Ｔａ〜Ｔｂを保つようにオーブン加熱，スチーム加熱の同時または時分割加熱を行う。所定時間が経過すると、すべての加熱を終了する。
【００３９】
本実施例では加熱室７内温度を約１２０℃または約８０℃を保つように制御する二種類の温度を設けた。各々の温度で調理できる被調理物は実施例１と同様であるので詳細は省略する。
【実施例３】
【００４０】
図８を用いて加熱室７内を約８０℃〜１２０℃程度の低温に保って加熱調理を行う第３の実施例を説明する。図８（ｂ）（ｃ）（ｄ）に示すように、第３の実施例では、ｔ０〜ｔ１の期間にオーブン加熱を行い、ｔ１〜ｔ２の期間に電子レンジ加熱，オーブン加熱，スチーム加熱を行い、ｔ２〜ｔ３の期間にオーブン加熱を行う。なお、ｔ１〜ｔ２の期間は各々の加熱を同時に行っても良いし、時分割で行ってもよい。
【００４１】
ｔ０〜ｔ１の期間に行うオーブン加熱は遠赤外線を用いて被調理物７１を内部から加熱するために有効である。被調理物７１の内部温度は未だ上昇していないからである。なお、この期間は予熱期間であるため、２〜３分程度の短時間であっても良い。
【００４２】
ｔ１〜ｔ２の期間に行うスチーム加熱は加熱室７の内部を低酸素状態にすることができその後の調理時に生じる被調理物７１の酸化を抑制するため、さらに、被調理物７１を水の被膜で覆うことで調理中に被調理物７１から失われる水分を少なくすることができる点で有効である。さらに、遠赤外線を用いたオーブン加熱も併用することで被調理物の温度を一定に保つことを更に容易にしている。また、電子レンジ加熱は被調理物７１を内部から加熱するために有効である。先行する予熱期間を短時間としているため、被調理物７１の内部温度は未だ十分には上昇していないからである。なお、この調理時間は全体の調理時間の１／３程度とするのが好ましい。
【００４３】
ｔ２〜ｔ３の期間に行うオーブン加熱は、ｔ２以前のスチーム加熱により与えられた水分を蒸発させ、カラッとした仕上げにするために行う。なお、この調理時間は全体の調理時間の２／３程度とするのが好ましい。
【００４４】
次に、図８（ａ）を用いて本実施例の温度制御について説明する。図８（ａ）において縦軸は加熱室７内の温度である。制御手段２７の制御により温度Ｔａに達するまでオーブン加熱を行う。温度Ｔａに達すると、制御手段２７の制御により温度Ｔａ〜Ｔｂを保つように電子レンジ加熱，オーブン加熱，スチーム加熱の同時または時分割加熱を行う。所定時間が経過すると、制御手段２７の制御により温度Ｔａ〜Ｔｂを保つようにオーブン加熱を行う。さらに所定時間が経過すると、すべての加熱を終了する。
【００４５】
本実施例では加熱室７内温度を約１２０℃または約８０℃を保つように制御する二種類の温度を設けた。各々の温度で調理できる被調理物は実施例１と同様であるので詳細は省略する。
【実施例４】
【００４６】
図９を用いて加熱室７内を約８０℃〜１２０℃程度の低温に保って加熱調理を行う第４の実施例を説明する。図９（ｂ）（ｃ）（ｄ）に示すように、第４の実施例では、ｔ０〜ｔ１の期間にオーブン加熱を行い、ｔ１〜ｔ２の期間にオーブン加熱，スチーム加熱を行い、ｔ２〜ｔ３の期間にオーブン加熱を行う。なお、ｔ１〜ｔ２の期間は各々の加熱を同時に行っても良いし、時分割で行ってもよい。
【００４７】
ｔ０〜ｔ１の期間に行うオーブン加熱は遠赤外線を用いて被調理物７１を内部から加熱するために有効である。被調理物７１の内部温度は未だ上昇していないからである。なお、この期間は予熱期間であるため、２〜３分程度の短時間であっても良い。
【００４８】
ｔ１〜ｔ２の期間に行うスチーム加熱は加熱室７の内部を低酸素状態にすることができその後の調理時に生じる被調理物７１の酸化を抑制するため、さらに、被調理物７１を水の被膜で覆うことで調理中に被調理物７１から失われる水分を少なくすることができる点で有効である。さらに、遠赤外線を用いたオーブン加熱も併用することで被調理物の温度を一定に保つことを更に容易にしている。なお、この調理時間は全体の調理時間の１／２程度とするのが好ましい。
【００４９】
ｔ２〜ｔ３の期間に行うオーブン加熱は、ｔ２以前のスチーム加熱により与えられた水分を蒸発させ、カラッとした仕上げにするために行う。なお、この調理時間は全体の調理時間の１／２程度とするのが好ましい。
【００５０】
次に、図９（ａ）を用いて本実施例の温度制御について説明する。図９（ａ）において縦軸は加熱室７内の温度である。制御手段２７の制御により温度Ｔａに達するまでオーブン加熱を行う。温度Ｔａに達すると、制御手段２７の制御により温度Ｔａ〜Ｔｂを保つようにオーブン加熱，スチーム加熱の同時または時分割加熱を行う。所定時間が経過すると、制御手段２７の制御により温度Ｔａ〜Ｔｂを保つようにオーブン加熱を行う。さらに所定時間が経過すると、すべての加熱を終了する。
【００５１】
本実施例では加熱室７内温度を約１２０℃または約８０℃を保つように制御する二種類の温度を設けた。各々の温度で調理できる被調理物は実施例１と同様であるので詳細は省略する。
【実施例５】
【００５２】
図１０を用いて加熱室７内を約８０℃〜１２０℃程度の低温に保って加熱調理を行う第５の実施例を説明する。図１０（ｂ）（ｃ）（ｄ）に示すように、第５の実施例では、ｔ０〜ｔ１の期間にオーブン加熱，スチーム加熱を行い、ｔ１〜ｔ２の期間にオーブン加熱を行う。なお、ｔ０〜ｔ１の期間は各々の加熱を同時に行っても良いし、時分割で行ってもよい。
【００５３】
ｔ０〜ｔ１の期間に行うオーブン加熱は遠赤外線を用いて被調理物７１を内部から加熱するために有効である。被調理物７１の内部温度は未だ上昇していないからである。また、スチーム加熱は加熱室７の内部を低酸素状態にすることができその後の調理時に生じる被調理物７１の酸化を抑制するため、さらに、被調理物７１を水の被膜で覆うことで調理中に被調理物７１から失われる水分を少なくすることができる点で有効である。なお、この調理時間は全体の調理時間の２／３程度とするのが好ましい。
【００５４】
ｔ１〜ｔ２の期間に行うオーブン加熱は、ｔ１以前のスチーム加熱により与えられた水分を蒸発させ、カラッとした仕上げにするために行う。なお、この調理時間は全体の調理時間の１／３程度とするのが好ましい。
【００５５】
次に、図１０（ａ）を用いて本実施例の温度制御について説明する。図９（ａ）において縦軸は加熱室７内の温度である。まず、制御手段２７の制御によりオーブン加熱およびスチーム加熱を行う。このとき、制御手段２７の制御により温度Ｔａ〜Ｔｂを保つようにオーブン加熱，スチーム加熱の同時または時分割加熱を行う。所定時間が経過すると、制御手段２７の制御により温度Ｔａ〜Ｔｂを保つようにオーブン加熱を行う。さらに所定時間が経過すると、すべての加熱を終了する。
【００５６】
本実施例では加熱室７内温度を約１２０℃または約８０℃を保つように制御する二種類の温度を設けた。各々の温度で調理できる被調理物は実施例１と同様であるので詳細は省略する。
【図面の簡単な説明】
【００５７】
【図１】加熱調理器におけるカバーを外した加熱調理器の正面斜視図である。
【図２】加熱調理器における加熱調理器のドア開成状態での正面斜視図である。
【図３】加熱調理器における加熱調理器の側面断面図である。
【図４】加熱調理器における加熱調理器の側面断面図である。
【図５】加熱調理器における加熱調理器の操作部の拡大図である。
【図６】第１の実施例の調理方法である。
【図７】第２の実施例の調理方法である。
【図８】第３の実施例の調理方法である。
【図９】第４の実施例の調理方法である。
【図１０】第５の実施例の調理方法である。
【符号の説明】
【００５８】
２  機械室
６  操作パネル
７  加熱室
８  重量センサ
９  熱風ユニット
１０，１２  電熱ヒータ
２０  マグネトロン
２３  インバータ電源
３５  蒸気発生手段
６０  操作部
６１ａ，６１ｂ  選択手段
６２  表示部
６５  ドア印字部
７０  テーブル
７１  被調理物
【図１】
0004934519.tif 000002
【図２】
0004934519.tif 000003
【図３】
0004934519.tif 000004
【図４】
0004934519.tif 000005
【図５】
0004934519.tif 000006
【図６】
0004934519.tif 000007
【図７】
0004934519.tif 000008
【図８】
0004934519.tif 000009
【図９】
0004934519.tif 000010
【図１０】
0004934519.tif 000011